(57)【要約】【課題】誰の携帯電話からでも入手済サービス，商品の決済が可能となる安全な購入代金の決済方法を提供する。【解決手段】サービスマンが携帯する第１の情報端末１と、代金の決済を代行する業者が所有する決済代行サーバ２と、ＱＲコードを撮影可能な携帯電話３と、商品情報及び利用者情報からなる決済情報を格納した基幹データベースサーバ４とを有し、サービスマンが現場で決済情報を基幹データベース４から第１の情報端末１へ取り込み、第１の情報端末１は決済情報をＱＲコードへ変換し、ＱＲコードを携帯電話３で撮影して取り込み、取り込んだＱＲコードから決済情報を読み取り、決済に必要な情報である識別情報を利用者が携帯電話３へ入力し、読み取った決済情報と入力された識別情報とを携帯電話３から決済代行サーバ２へ送付することにより、商品・サービスの購入代金を決済する。【選択図】図１
2007328549.tif 000002
【特許請求の範囲】
【請求項１】
商品・サービスの値段等の商品情報、及び利用者の氏名等の利用者情報からなる決済情報を二次元コード化できる第１の情報端末と、
商品・サービスの代金の決済を代行する業者が所有する決済代行サーバと、
二次元コードを撮影可能な第２の情報端末と、
前記決済情報を格納した基幹データベースサーバと、を有し、
サービスマンが現場で決済情報を基幹データベースから第１の情報端末へ送付し、第１の情報端末は、決済情報を二次元コードへ変換し、
該二次元コードを第２の情報端末で撮影して取り込み、
取り込んだ二次元コードから決済情報を読み取り、
決済に必要な情報である識別情報を利用者が第２の情報端末へ入力し、読み取った決済情報と入力された識別情報とを第２の情報端末から前記決済代行サーバへ送付することにより、商品・サービスの購入代金を決済する決済方法。
【発明の詳細な説明】
【技術分野】
【０００１】
本発明は、商品・サービスの購入代金を決済する決済方法に関するものである。
【背景技術】
【０００２】
従来、特許文献１に開示されているように、第１の情報端末に、商品の購入代金や、その振込先等の情報を二次元コードで表示させ、利用者は第２の情報端末に備えたカメラ部で二次元コードを撮影し、第２の情報端末から二次元コードの情報を決済代行業者サーバに送出することにより、利用者本人による商品の購入であることを確認し決済処理を行う決済方法が存在する。
【特許文献１】特開２００３−１４１４３３号公報
【発明の開示】
【発明が解決しようとする課題】
【０００３】
上記特許文献１に開示されている決済方法では、第２の情報端末である携帯電話の番号で利用者本人による商品の購入であることを確認するものであり、携帯電話内の情報（携帯電話番号）での特定であるため、利用者が携帯電話等を紛失した場合、その携帯電話を用いて第３者により買い物等がなされてしまう虞があるという問題点があった。
【課題を解決するための手段】
【０００４】
本発明は上記従来の問題点に鑑み案出したものであって、携帯電話の所有者を特定することなく、お客の必要案件に対して決済が可能な商品・サービスの購入代金の決済方法を提供するものであり、その請求項１は、商品・サービスの値段等の商品情報、及び利用者の氏名等の利用者情報からなる決済情報を二次元コード化できる第１の情報端末と、商品・サービスの代金の決済を代行する業者が所有する決済代行サーバと、二次元コードを撮影可能な第２の情報端末と、前記決済情報を格納した基幹データベースサーバと、を有し、サービスマンが現場で決済情報を基幹データベースから第１の情報端末へ送付し、第１の情報端末は、決済情報を二次元コードへ変換し、該二次元コードを第２の情報端末で撮影して取り込み、取り込んだ二次元コードから決済情報を読み取り、決済に必要な情報である識別情報を利用者が第２の情報端末へ入力し、読み取った決済情報と入力された識別情報とを第２の情報端末から前記決済代行サーバへ送付することにより、商品・サービスの購入代金を決済する決済方法である。
【発明の効果】
【０００５】
本発明は、商品・サービスの値段等の商品情報、及び利用者の氏名等の利用者情報からなる決済情報を二次元コード化できる第１の情報端末と、商品・サービスの代金の決済を代行する業者が所有する決済代行サーバと、二次元コードを撮影可能な第２の情報端末と、前記決済情報を格納した基幹データベースサーバと、を有し、サービスマンが現場で決済情報を基幹データベースから第１の情報端末へ送付し、第１の情報端末は、決済情報を二次元コードへ変換し、該二次元コードを第２の情報端末で撮影して取り込み、取り込んだ二次元コードから決済情報を読み取り、決済に必要な情報である識別情報を利用者が第２の情報端末へ入力し、読み取った決済情報と入力された識別情報とを第２の情報端末から前記決済代行サーバへ送付することにより、商品・サービスの購入代金を決済するものであるため、顧客により入力されたクレジット番号，名義人名等の識別情報からサイト内で認証実施により顧客を特定し、携帯電話個体が有する情報を決済条件に用いないため、携帯電話の所有者を特定せず顧客の必要案件に対して決済が可能であり、また、客自身が決済に伴う入力作業を行うので、顧客の個人情報を代金回収者側の端末に残すことがなく、安全なものとなる。
【実施例】
【０００６】
以下、本発明の実施例を図面に基づいて説明する。
図１は、本発明の商品・サービスの購入代金の決済方法を実行するために必要な機器の概略構成であり、携帯パソコン等で構成される第１の情報端末１は、サービスマンが携帯するものであり、決済代行サーバ２は、商品・サービスの代金の決済を代行する業者が所有するものである。また、携帯電話で構成される第２の情報端末３は、利用者即ち顧客が使用するものであり、顧客本人の携帯電話である必要はなく、誰の携帯電話であっても良い。
また、基幹データベースサーバ４は、商品・サービスを提供するものが、商品・サービスの値段等の商品情報および利用者の氏名・住所等の利用者情報を格納しておくものである。
【０００７】
図２のフローチャートで示すように、Ｓ１において、顧客から商品の購入あるいは修理等のサービスの依頼があった時点で、基幹データベースサーバ４には、その商品あるいはサービスの値段等の商品情報および顧客の氏名，住所等の利用者情報が登録されて格納される。
顧客へ商品あるいは修理等のサービスが提供されて、その商品あるいはサービスの顧客への受け渡しが完了した段階で、顧客先の現場でサービスマンは、第１の情報端末１を用いて、Ｓ２において、基幹データベースサーバ４から決済情報を取り込む。即ち、決済情報である商品の品番，値段等の商品情報および利用者の氏名，住所等の利用者情報は、基幹データベース４に既に格納されているため、これを第１の情報端末１内に取り込む。
【０００８】
さらに、Ｓ３において、第１の携帯端末１内に取り込んだ決済情報と、決済サイトＵＲＬを元にして、二次元コードへ変換して、二次元コードを作成させる。
この二次元コードは、数字，英文字，漢字，ひらがな等のあらゆるデータを効率良く表現できて、一部に汚れや破損があっても復元が可能であり、背景模様の影響を受けずに安定した高速読み取りが可能である、例えばマトリックス方式のいわゆるＱＲコードが用いられる。
利用者を特定するための利用者の氏名，住所，受付番号，伝票番号、提供した商品の品番，値段等の商品情報、税込みの請求額、決済サイトＵＲＬをコード化したＱＲコードは、第１の情報端末１のＰＤＡ画面、または顧客の控え帳票に作成させても良い。
【０００９】
さらに、Ｓ４において、作成されたＱＲコードを顧客が、自分の携帯電話またはサービスマンあるいは第３者の携帯電話のカメラ部を用いて撮影し、第２の情報端末である携帯電話３内に読み取る。
Ｓ５において、携帯電話３から決済サイトにＳＳＬ通信（ｉモード等）にてアクセスすると、Ｓ６において、決済サイト上で、基幹データベースサーバ４とつながっている認証サーバが、基幹データベースサーバ４内の受付No.にてアクセス権を認証する。即ち、受付No.が間違いないことを確認し、人違いによる他案件の決済を防止するのである。
【００１０】
これにより、Ｓ７において、基幹データサーバ４から受付No.に連携した個人情報が取得され、携帯電話３には図３の画面が表示される。「同意する」を選択すると、図４に示すような、顧客の氏名および伝票番号、請求の合計金額が画面に表示され、これを顧客は確認して図５のような画面に進み、Ｓ８において、顧客がクレジットカード番号、カード有効期限、カード名義人名を携帯電話のダイヤルボタンを押して入力し、図６に示すような画面において決済金額を確認し、「決済する」を選択すると、Ｓ９において、決済代行会社にデータが送信され、Ｓ１０においてカード決済が完了する。
Ｓ１１において、図７のように、カード決済完了を、顧客側の携帯電話３の画面にカード決済完了情報として表示させ（個人情報保護の為、クレジットカード番号の下１２桁は非表示とする。）、顧客はこれを確認し、Ｓ１２において、携帯電話画面メモにて表示画面を保存することができるものである。
【００１１】
本発明では、売掛金決済情報（売掛金の情報）と決済サイトＵＲＬをＱＲコード化して顧客に提示し、請求内容はＱＲコード情報によって決済サイト上で基幹データベースに連携するので、人違いによる決済を防止し、決済代行業者から届いた決済情報は速やかに基幹データベースに反映されるものである。また、顧客の特定は、入力されたクレジット番号，有効期限、名義人名からサイト内で認証実施により特定し、携帯電話個体が有する情報を決済条件には用いないため、携帯電話の所有者を特定せず、誰の携帯電話を利用しても決済が可能となる。
【００１２】
また、顧客自身が携帯電話で決済に伴う入力作業を行うので、磁気情報の読み取りや紙状記録を必要とせず、顧客の個人情報を代金回収者端末に残すことがないため、安心できるものとなる。また、既に顧客に提供が終わっているサービスや商品の決済を対象としているものであるため、既に顧客は必要なサービスや商品を入手しており、ＱＲコード情報が他人に渡ったとしても、顧客の実害はないものである。
【００１３】
なお、２週間以内に決済がされなかった場合には、前記ＱＲコードを付設した請求書が顧客に送付されて、顧客はこの請求書に付設されているＱＲコードを携帯電話のカメラ部で読み取り、前述した如くの手順でカード決済が行われることとなる。
なお、カード決済以外の場合には、請求書兼振込用紙が顧客に送付されて、この振込用紙による銀行等からの振込みによる決済が行われるものとなる。
【図面の簡単な説明】
【００１４】
【図１】本発明の決済方法を実行するために使用される機器の構成図である。
【図２】決済方法を実行する手順のフローチャート図である。
【図３】携帯電話に表示される画面の一例である。
【図４】携帯電話に表示される基幹データベースから取得した個人情報の画面の一例である。
【図５】カード番号，有効期限，名義人名を携帯電話から入力する際の画面の一例である。
【図６】決済を送信する際の携帯電話の画面の一例である。
【図７】携帯電話の画面にカード決済完了情報を表示させる画面の一例である。
【符号の説明】
【００１５】
１  第１の情報端末
２  決済代行サーバ
３  第２の情報端末（携帯電話）
４  基幹データベースサーバ
【図１】
2007328549.tif 000003
【図２】
2007328549.tif 000004
【図３】
2007328549.tif 000005
【図４】
2007328549.tif 000006
【図５】
2007328549.tif 000007
【図６】
2007328549.tif 000008
【図７】
2007328549.tif 000009